(57)【特許請求の範囲】
【請求項１】
利用者により操作される視聴開始及び視聴終了用の所定の操作ボタンを含む複数の操作ボタンをキーコードの入力のために備え、パスワードと、視聴制限を行うチャンネル番号を含む視聴制限情報と、視聴したいチャンネル番号とを入力する外部入力部と、
前記パスワードを前記外部入力部を介して入力された所定数の前記操作ボタンに対応するキーコードとして予め保持するパスワード記憶部と、
前記操作ボタンによる前記外部入力部への入力履歴を当該操作ボタンに対応するキーコードとして記憶する入力情報記憶部と、
前記入力情報記憶部を介して前記視聴制限情報を前記操作ボタンに対応するキーコードとして予め保持する視聴制限情報記憶部と、
前記入力履歴として記憶されるキーコードのうち前記所定の操作ボタンの視聴開始操作前に操作された前記所定数の操作ボタンに対応するキーコードが前記パスワードに対応する前記所定数のキーコードに等しいときには、前記操作ボタンにより前記視聴制限を行うチャンネル番号が選局された場合でも、当該視聴制限を解除する選局処理部とを含むことを特徴とする視聴制限システム。
【請求項２】
前記選局処理部は、前記入力履歴のうち前記操作ボタンにより選局されたチャンネル番号が前記視聴制限を行うチャンネル番号に等しいときには、前記操作ボタンによる前記外部入力部への新たな入力を待ち、新たな入力がないときは前記視聴制限を行い、新たな入力があるときであって、その入力履歴に対応するキーコードのうち前記所定数の操作ボタンに対応するキーコードが前記パスワードに対応する前記所定数のキーコードに等しいときに前記視聴制限を解除することを特徴とする請求項１記載の視聴制限システム。
【請求項３】
利用者により操作される視聴開始及び視聴終了用の所定の操作ボタンを含む複数の操作ボタンをキーコードの入力のために備えた外部入力部から所定数の前記操作ボタンに対応するキーコードが入力された後で前記所定の操作ボタンが視聴開始操作された場合に特定番組の視聴制限を解除する視聴制限方法であって、
前記外部入力部から、パスワードと、視聴制限を行うチャンネル番号を含む視聴制限情報と、視聴したいチャンネル番号とを取得するステップと、
前記パスワードを前記外部入力部を介して入力された所定数の前記操作ボタンに対応するキーコードとして予め保持するステップと、
前記視聴制限情報を前記操作ボタンに対応するキーコードとして予め保持するステップと、
前記操作ボタンによる前記外部入力部への入力履歴を当該操作ボタンに対応するキーコードとして記憶するステップと、
前記入力履歴として記憶された前記キーコードが前記所定の操作ボタンの視聴開始操作に対応するキーコードかどうか判定するステップと、
前記所定の操作ボタンの視聴開始操作に対応するキーコードである場合は、前記入力履歴として記憶されるキーコードのうち前記所定の操作ボタンの視聴開始操作前に入力された所定数の前記操作ボタンに対応するキーコードと、予め保持されている前記パスワードに対応する前記所定数のキーコードと比較するステップと、
前記所定の操作ボタンの視聴開始操作前に入力された前記所定数のキーコードが前記パスワードに対応する前記所定数のキーコードと一致する場合には、前記操作ボタンにより前記視聴制限を行うチャンネル番号が選局された場合でも、当該視聴制限を解除するステップとを含むことを特徴とする視聴制限方法。
【請求項４】
番組の視聴中に、前記外部入力部を介して取得された前記操作ボタンに対応するキーコードが前記所定の操作ボタンの視聴終了操作に対応するキーコードかどうか判定するステップと、
前記所定の操作ボタンの視聴終了操作に対応するキーコードである場合は、前記番組の提示を終了するステップと、
前記所定の操作ボタンの視聴終了操作に対応するキーコードでない場合は、前記電源ボタンの視聴開始操作前に入力された前記所定数のキーコードが前記パスワードに対応する前記所定数のキーコードと一致するか否かの判定に基づいて視聴制限機能停止状態であるか否か確認するステップと、
前記視聴制限機能停止状態であれば、前記視聴制限を行うチャンネル番号と前記操作ボタンにより選局されたチャンネル番号とが等しい場合でも、当該視聴制限を解除するステップとをさらに含むことを特徴とする請求項３記載の視聴制限方法。
【請求項５】
特定番組の視聴制限を解除するためのプログラムを記録したコンピュータ読み取り可能な記録媒体であって、
利用者により操作される視聴開始及び視聴終了用の所定の操作ボタンを含む複数の操作ボタンをキーコードの入力のために備えた外部入力部から、パスワードと、視聴制限を行うチャンネル番号を含む視聴制限情報と、視聴したいチャンネル番号とを取得するステップと、
前記パスワードを前記外部入力部を介して入力された所定数の前記操作ボタンに対応するキーコードとして予め保持するステップと、
前記視聴制限情報を前記操作ボタンに対応するキーコードとして予め保持するステップと、
前記操作ボタンによる前記外部入力部への入力履歴を当該操作ボタンに対応するキーコードとして記憶するステップと、
前記外部入力部から入力された前記操作ボタンに対応するキーコードが前記所定の操作ボタンの視聴開始操作に対応するキーコードか否か判断するステップと、
前記所定の操作ボタンの視聴開始操作に対応するキーコードである場合は、前記入力履歴として記憶されるキーコードのうち前記所定の操作ボタンの視聴開始操作前に入力された所定数の前記操作ボタンに対応するキーコードと、予め保持されている前記パスワードに対応する前記所定数のキーコードと比較するステップと、
前記所定の操作ボタンの視聴開始操作前に入力された所定数の前記操作ボタンに対応するキーコードが前記パスワードに対応する前記所定数のキーコードと一致する場合には、前記操作ボタンにより前記視聴制限を行うチャンネル番号が選局された場合でも、当該視聴制限を解除するステップとをコンピュータに実行させるプログラムを記録していることを特徴とするコンピュータ読み取り可能な記録媒体。
【発明の詳細な説明】
【０００１】
【発明が属する技術分野】
本発明は、視聴制限システムに関し、特に、視聴制限機能が付いているテレビジョン受信機において、指定された映像の視聴を制限する視聴制限機能を簡単な操作で動作しなくする機能を有する視聴制限システムに関する。
【０００２】
【従来の技術】
近年、番組放送が多チャンネル化することによって、番組放送の内容も多様化している。その為、暴力映像や猥褻映像等の子供に見せたくない映像も多く放送される様になった。子供等に前記のような映像番組の視聴を制限する方法として、送出側で番組の過激度のレベルを表す情報を映像と共に送出し、受信機側で受信した番組の過激度のレベルが、親などの利用者が設定したレベルを超えると、その番組の提示を停止するような視聴制限機能や、親などの利用者が設定した特定のチャンネル又は、番組の提示を制限する視聴制限機能等が存在する。
【０００３】
【発明が解決しようとする課題】
しかし、これらの視聴制限機能が付いているテレビジョン受信機において、子供等が特定の番組を視聴しようとした時に番組の提示を停止するように設定した場合、この視聴制限を登録した親などの利用者が本番組を視聴しようとした場合にも視聴制限機能が働く。本来、視聴制限機能は子供などが番組を視聴する時だけ動作すれば充分であるが、従来の技術では使用者を判断することが出来ないため、視聴制限の対象にしたい子供以外の利用者も視聴制限の対象として視聴制限機能が動作する。
【０００４】
そのため、視聴制限を登録した親などの利用者も、視聴制限がかかった番組を視聴する度に、リモコン等で所定の入力を行う必要があり、使い勝手が悪くなっている。
【０００５】
そこで、本発明は、視聴制限を登録した親などの利用者にも使い勝手の良好な視聴制限システム並びに方法及び視聴制限プログラムを記録した記憶媒体を提供することを課題としている。
【０００６】
【課題を解決するための手段】
上記の課題を解決するための本発明の視聴制限システムは、利用者により操作される視聴開始及び視聴終了用の所定の操作ボタンを含む複数の操作ボタンをキーコードの入力のために備え、パスワードと、視聴制限を行うチャンネル番号を含む視聴制限情報と、視聴したいチャンネル番号とを入力する外部入力部と、前記パスワードを前記外部入力部を介して入力された所定数の前記操作ボタンに対応するキーコードとして予め保持するパスワード記憶部と、前記操作ボタンによる前記外部入力部への入力履歴を当該操作ボタンに対応するキーコードとして記憶する入力情報記憶部と、前記入力情報記憶部を介して前記視聴制限情報を前記操作ボタンに対応するキーコードとして予め保持する視聴制限情報記憶部と、前記入力履歴として記憶されるキーコードのうち前記所定の操作ボタンの視聴開始操作前に操作された前記所定数の操作ボタンに対応するキーコードが前記パスワードに対応する前記所定数のキーコードに等しいときには、前記操作ボタンにより前記視聴制限を行うチャンネル番号が選局された場合でも、当該視聴制限を解除する選局処理部とを含む。
【０００７】
又、本発明の視聴制限方法は、利用者により操作される視聴開始及び視聴終了用の所定の操作ボタンを含む複数の操作ボタンをキーコードの入力のために備えた外部入力部から所定数の前記操作ボタンに対応するキーコードが入力された後で前記所定の操作ボタンが視聴開始操作された場合に特定番組の視聴制限を解除する視聴制限方法であって、前記外部入力部から、パスワードと、視聴制限を行うチャンネル番号を含む視聴制限情報と、視聴したいチャンネル番号とを取得するステップと、前記パスワードを前記外部入力部を介して入力された所定数の前記操作ボタンに対応するキーコードとして予め保持するステップと、前記視聴制限情報を前記操作ボタンに対応するキーコードとして予め保持するステップと、前記操作ボタンによる前記外部入力部への入力履歴を当該操作ボタンに対応するキーコードとして記憶するステップと、前記入力履歴として記憶された前記キーコードが前記所定の操作ボタンの視聴開始操作に対応するキーコードかどうか判定するステップと、前記所定の操作ボタンの視聴開始操作に対応するキーコードである場合は、前記入力履歴として記憶されるキーコードのうち前記所定の操作ボタンの視聴開始操作前に入力された所定数の前記操作ボタンに対応するキーコードと、予め保持されている前記パスワードに対応する前記所定数のキーコードと比較するステップと、前記所定の操作ボタンの視聴開始操作前に入力された前記所定数のキーコードが前記パスワードに対応する前記所定数のキーコードと一致する場合には、前記操作ボタンにより前記視聴制限を行うチャンネル番号が選局された場合でも、当該視聴制限を解除するステップとを含む。
【０００８】
又、本発明の視聴制限方法は、番組の視聴中に、前記外部入力部を介して取得された前記操作ボタンに対応するキーコードが前記所定の操作ボタンの視聴終了操作に対応するキーコードかどうか判定するステップと、前記所定の操作ボタンの視聴終了操作に対応するキーコードである場合は、前記番組の提示を終了するステップと、前記所定の操作ボタンの視聴終了操作に対応するキーコードでない場合は、前記電源ボタンの視聴開始操作前に入力された前記所定数のキーコードが前記パスワードに対応する前記所定数のキーコードと一致するか否かの判定に基づいて視聴制限機能停止状態であるか否か確認するステップと、前記視聴制限機能停止状態であれば、前記視聴制限を行うチャンネル番号と前記操作ボタンにより選局されたチャンネル番号とが等しい場合でも、当該視聴制限を解除するステップとをさらに含む。
【０００９】
又、本発明の記録媒体は、特定番組の視聴制限を解除するためのプログラムを記録したコンピュータ読み取り可能な記録媒体であって、利用者により操作される視聴開始及び視聴終了用の所定の操作ボタンを含む複数の操作ボタンをキーコードの入力のために備えた外部入力部から、パスワードと、視聴制限を行うチャンネル番号を含む視聴制限情報と、視聴したいチャンネル番号とを取得するステップと、前記パスワードを前記外部入力部を介して入力された所定数の前記操作ボタンに対応するキーコードとして予め保持するステップと、前記視聴制限情報を前記操作ボタンに対応するキーコードとして予め保持するステップと、前記操作ボタンによる前記外部入力部への入力履歴を当該操作ボタンに対応するキーコードとして記憶するステップと、前記外部入力部から入力された前記操作ボタンに対応するキーコードが前記所定の操作ボタンの視聴開始操作に対応するキーコードか否か判断するステップと、前記所定の操作ボタンの視聴開始操作に対応するキーコードである場合は、前記入力履歴として記憶されるキーコードのうち前記所定の操作ボタンの視聴開始操作前に入力された所定数の前記操作ボタンに対応するキーコードと、予め保持されている前記パスワードに対応する前記所定数のキーコードと比較するステップと、前記所定の操作ボタンの視聴開始操作前に入力された所定数の前記操作ボタンに対応するキーコードが前記パスワードに対応する前記所定数のキーコードと一致する場合には、前記操作ボタンにより前記視聴制限を行うチャンネル番号が選局された場合でも、当該視聴制限を解除するステップとをコンピュータに実行させるプログラムを記録している。
【００１０】
【発明の実施の形態】
以下、図面を参照して本発明の実施の形態について説明する。図１は、本発明の視聴制限システムのブロック図である。図１において、パスワード記憶部１１には、視聴制限機能を動作させなくするためのパスワードが記憶されている。選局処理部９は、入力情報記憶部１０に記憶されたキーコードの履歴とパスワード記憶部１１のパスワードを比較する。比較の結果、パスワードが入力されていれば、選局処理部９は選局時に行う視聴制限処理を行わない。これにより、視聴制限の設定を行った親などの利用者は、自身が設定した視聴制限した番組を視聴するたびに、視聴制限を解除する操作をする必要がなくなる。
【００１１】
アンテナ１はテレビジョン放送の電波を受けるためのアンテナである。
【００１２】
チューナ部２は選局処理部９の情報に従って、指定されたテレビジョン放送の電波を映像／音声信号に変換するチューナである。
【００１３】
分離部３はチューナ部２から受け取った映像／音声信号を、映像信号と音声信号に分離して取り出す。
【００１４】
映像デコーダ部４は、分離部３から受け取った映像信号をデコードすると同時に、選局処理部９の情報に従ってデコードした映像情報を映像出力部５に送出するかどうかを制御する。
【００１５】
映像出力部５はモニタ装置等であり、映像デコーダ部４から受け取った映像情報を表示する。
【００１６】
音声デコーダ部６は、分離部３から受け取った音声信号をデコードすると同時に、選局処理部９の情報に従ってデコードした音声情報を音声出力部７に送出するかどうかを制御する。
【００１７】
音声出力部７はスピーカ装置等であり、音声デコーダ部６から受け取った音声情報を出力する。
【００１８】
外部入力部８はリモコンの信号情報を受け取るリモコン受光機であり、リモコンから受け取ったリモコン信号をリモコンの押されたボタンを判別できるキーコードに変換して選局処理部９と入力情報記録部１０に送出する。また、外部入力部８は、パスワード記憶部１１に、利用者が任意に設定したパスワードとなるキーコードを送出する。
【００１９】
選局処理部９は、外部入力部８から送出されたキーコードと、入力情報記憶部１０、パスワード記憶部１１、視聴制限記憶部１２に記憶されている情報の比較処理を行い、チューナ部２に対して受信する電波の指定や、映像デコーダ部４や音声デコーダ部６に対して映像や音声を出力するかどうかの要求情報を送出する。
【００２０】
入力情報記憶部１０は、外部入力部８から送られたキーコード情報を過去に入力されたキーコード情報として記憶している。入力情報記憶部１０で記憶できるキーコード情報は複数である。そのため、過去に遡って、リモコンの押されたボタンを把握することが可能である。
【００２１】
パスワード記憶部１１は、一時的に全ての視聴制限機能を停止する為のパスワードが記憶されている。
【００２２】
視聴制限記憶部１２には、視聴制限を行う番組もしくはチャンネル、もしくは画面の過激度等の視聴制限レベルの条件情報等が記憶されている。
【００２３】
アンテナ１は受信されたテレビジョン放送の電波はチューナ部２で選局処理部９の情報に従って、指定されたテレビジョン放送の電波を映像／音声信号に変換し、分離部３でさらに映像信号、音声信号に分離する。映像信号は、映像デコーダ部４で映像に再生される。また、選局処理部９の情報に従って再生した映像を映像出力部５に送出するかどうかを制御する。音声信号は、音声デコーダ部６で音声に再生される。選局処理部９の情報に従って再生した音声を音声出力部７に送出するかどうかを制御する。外部入力部８は、リモコンから受け取ったリモコン信号をキーコードに変換し、選局処理部９と入力情報記録部１０に送出する。リモコンに存在するボタンに対してキーコードが一対一で存在する。
【００２４】
入力情報記録部１０では、外部入力部８から受け取ったキーコードを過去に遡って保持する。例えば、もし利用者がリモコンのボタンを「１」「２」「５」と順に押下したならば、外部入力部８は、選局処理部９と入力情報記録部１０に対して、「１」「２」「５」の順にリモコンのボタンに対応するキーコードを送出する。
【００２５】
また、パスワード登録時には、外部入力部８は利用者（視聴制限をかける親など）が任意に設定したパスワードとなるキーコードをパスワード記憶部１１に送出する。
【００２６】
選局処理部９は、外部入力部８から受け取ったキーコードに応じて、チューナ部２に対して選局処理を行い、映像デコーダ部４、音声デコーダ部６に対して映像、音声の出力の制御を行う。
【００２７】
以下、選局処理部９の動作について説明する。選局処理部９の動作は、利用者が番組の視聴を行っていない状態か、視聴を行っている状態かで動作が異なる。
【００２８】
まず、図２を参照して、利用者が番組の視聴を行っていない状態の選局処理部の動作について説明する。
【００２９】
始めに、選局処理部９は、外部入力部８からキーコードを取得する（ステップＡ１）。
【００３０】
次に、選局処理部９は、受け取ったキーコードが視聴開始のボタン（以下電源ボタン）に対応するキーコードかどうか比較する（ステップＡ２）。電源ボタンに対応するキーコードでなかった場合は、次のキーコードが入力されるのを待つ。電源ボタンに対応するキーコードであった場合は、番組の視聴が開始されるので、選局処理部９は、直前に入力されたキーコードを入力情報記憶部１０〜読み出して、それを、パスワード記録部１１に保持されているキーコードを比較する（ステップＡ３）。パスワード記録部１１に保持されているキーコードは、予め設定されている視聴制限機能を一時的に停止する為のパスワードである。
【００３１】
番組の視聴を開始する直前に押したリモコンの１又は２以上のボタンによる数字列等が、パスワード記憶部１１に格納されているパスワードと一致していた場合、選局処理部９は、視聴制限機能を停止する（ステップＡ４、Ａ５）。視聴制限機能停止状態では、選局処理部９は利用者が番組の視聴を停止するまで視聴制限機能の処理を停止する。
【００３２】
選局処理部９は、キーコードとパスワードの比較処理後、番組の提示処理を開始する（ステップＡ６）。
【００３３】
たとえば、利用者がリモコンを「３」、「８」、「５」、「２」、「電源」ボタンの順に押した場合、パスワード記録部１１に保持されているパスワードが「８」、「５」、「２」であれば、「電源」ボタンを押した時点、すなわち番組の視聴を開始した時点で、選局処理部９は、「電源」ボタンを押す前の直前３つのキーコードとパスワードの比較を行う。前記の例ではパスワードが一致しているので、選局処理部９は視聴制限機能停止状態となる。仮に、パスワードが「５」、「８」、「２」であれば、パスワードが一致しないので、選局処理部９は視聴制限機能停止状態にはならない。
【００３４】
ここでは、パスワードを任意のボタン３つとしたが、ボタンの数は１つ以上であれば任意の数に設定が可能である。
【００３５】
次に、図３を参照して、利用者が番組の視聴を行っている場合の選局処理部９の動作について説明する。
【００３６】
最初に、選局処理部９は、外部入力部８からキーコードを取得する（ステップＢ１）。
【００３７】
次に、選局処理部９は、受け取ったキーコードがリモコンの電源ボタンに対応するキーコードかどうか比較する（ステップＢ２）。
【００３８】
次に、リモコンの電源ボタンに対応するキーコードであった場合は、番組の提示を終了する必要があるので、視聴制限機能停止状態を解除してから、番組の提示を終了する（ステップＢ３）。一方、リモコンの電源ボタンに対応するキーコードでなかった場合、選局処理部９は視聴制限機能停止状態であるか確認する（ステップＢ４）。視聴制限機能停止状態であれば、選局処理部９は、リモコンの操作によって番組の選局を行う時に視聴制限処理を行わない（ステップＢ５）。一方、視聴制限機能停止状態でなければ、選局処理部９は、リモコンの操作によって番組の選局を行う時に視聴制限処理を行う（ステップＢ６）。
【００３９】
次に、視聴制限処理の手順を示す。
【００４０】
視聴制限情報記憶部１２には、視聴制限を行いたいＣＨ、例えば視聴の制限すを開始する過激度レベルの設定等の番組の条件等が記憶されている。選局処理部９はチューナ部２に選局要求を行った後、視聴制限情報記憶部１２から視聴制限情報を取り出し、現在視聴しているＣＨもしくは番組と条件を比較する。
【００４１】
現在視聴しているＣＨもしくは番組が、視聴制限を行うＣＨもしくは番組でなければ、提示を継続する。一方、現在視聴しているＣＨもしくは番組が、視聴制限を行うＣＨもしくは番組であれば、利用者に対して視聴制限を解除する為の操作（パスワードの入力など）を要求する。
【００４２】
視聴制限が解除する為の操作がされなかった場合、選局処理部９は映像デコーダ部４、音声デコーダ部６に対して、映像、音声の出力停止を要求する。
【００４３】
例えば、予め３０１ＣＨを視聴制限チャンネルと設定してあり、利用者がリモコンのボタンを「３」、「０」、「１」の順に押した場合、「１」ボタンを押した時点で、選局処理部９は、３０１ＣＨを受信する様にチューナ部２に対して要求する。
【００４４】
このとき選局処理部９が視聴制限機能停止状態であれば、そのまま番組の提示を開始する。一方、視聴制限機能停止状態でなければ、選局処理部９は、視聴制限情報記憶部１２から視聴制限すべきチャンネル情報を取り出して、現在受信している３０１ＣＨが、視聴制限すべきチャンネルか比較を行なう。この例では、比較の結果視聴制限を行う必要があるが、親などの利用者が視聴を希望する場合もある。
【００４５】
そこで、選局処理部９は視聴制限を解除する為の操作を利用者に要求する。視聴制限を解除する為の操作がされなかった場合、選局処理部９は映像デコーダ部４、音声デコーダ部６に対して映像、音声への送出を停止する様に要求する。その結果映像出力部５、音声出力部７からは何も出力されず、視聴が制限される。
【００４６】
図４は、視聴制限プログラムを記録した記憶媒体１４を備える本発明の視聴制限システムのブロック図である。記録媒体１４は磁気ディスク、半導体メモリその他の記憶媒体であってもよい。
【００４７】
視聴制限用プログラムは記録媒体１４からデータ処理装置１３に読み込まれ、データ処理装置１３の動作を制御する。データ処理装置１３は視聴制限プログラムの制御により以下の処理、すなわち第１の実施の形態における選局処理部９の処理と同一の処理をする。すなわち、データ処理装置１３は外部入力部８から送出されたキーコードと、入力情報記憶部１０、パスワード記憶部１１、視聴制限記憶部１２の情報の比較処理を行い、チューナ部２に対して受信する電波の指定や、映像デコーダ部４や音声デコーダ部６に対して、デコード結果を出力部に送出するかどうかの情報を指定する。
【００４８】
データ処理装置１３は外部入力部８から送出されたキーコードに対して、以下の動作を行う。
【００４９】
データ処理装置１３は、入力情報記憶部１０、パスワード記憶部１１に記憶されているキーコードの比較を行う。
【００５０】
キーコードが一致していた場合、データ処理装置１３は視聴制限機能停止状態となる。
データ処理装置１３は、選局処理を行った後、視聴制限機能停止状態であるかどうか判定を行う。
【００５１】
データ処理装置１３は、視聴制限停止状態でなければ、視聴制限処理を開始する。
視聴制限処理では、データ処理装置１３は、視聴制限情報記憶部１２から視聴制限情報を取り出して、現在視聴しているＣＨもしくは番組と比較を行う。
【００５２】
現在視聴しているＣＨもしくは番組が、視聴制限を行うＣＨもしくは番組でなければ提示を継続する。
【００５３】
現在視聴しているＣＨもしくは番組が、視聴制限を行うＣＨもしくは番組であれば、データ処理装置１３は視聴制限を解除する為の操作を利用者に要求する。
【００５４】
視聴制限が解除されなかった場合、データ処理装置１３は映像デコーダ部４、音声デコーダ部６に対して、映像、音声の出力の停止を要求する。
【００５５】
以上本発明の実施の形態について説明したが、視聴制限を解除した状態から視聴を制限する状態に速やかに移行するためには、入力情報記憶部の記憶内容をクリヤするキーコードを設定しておけばよい。
【００５６】
【発明の効果】
以上説明した本発明によれば、指定された映像の視聴を制限する視聴制限機能を簡単な操作で動作させなくすることができる。その理由は、視聴制限設定を行った親等の利用者が視聴制限を行っている番組を視聴しようとするたびに、視聴制限を解除する操作を行う必要がなくなるからである。
【図面の簡単な説明】
【図１】本発明の視聴制限システムのブロック図
【図２】利用者が番組の視聴を行っていない場合の選局処理部９の動作を説明するためのフローチャート
【図３】利用者が番組の視聴を行っている場合の選局処理部９の動作を説明するためのフローチャート
【図４】視聴制限プログラムを記録した記録媒体を備えた本発明の視聴制限システムのブロック図
【符号の説明】
１  アンテナ
２  チューナー部
３  分離部
４  映像デコーダ部
５  映像出力部
６  音声デコーダ部
７  音声出力部
８  外部入力部
９  選局処理部
１０  入力情報記憶部
１１  パスワード記憶部
１２  視聴情報記憶部
【図１】
0003675716.tif 000002
【図２】
0003675716.tif 000003
【図３】
0003675716.tif 000004
【図４】
0003675716.tif 000005